(57)【要約】      （修正有）【課題】入金優先処理や出金優先処理などの運用形態に応じて入金処理を効率良く行うことができる硬貨釣銭機及びその制御方法を提供する。【解決手段】投入硬貨を、一時保留部として機能できる一括収納部２６を経由せずに、金種別収納部２８に直接収納できる。一括収納部２６は、一時保留部として機能しない場合、オーバーフロー硬貨を収納する収納部として機能することができる。受入部１４から一括収納部２６又は金種別収納部２８へ硬貨を搬送する搬送部（搬送路１８、２４）と、一括収納部２６又は金種別収納部２８から払出部１６へ硬貨を搬送する搬送部（搬送路３０、２２）とが共通の搬送路となっている部分に識別部２０が設けられており、識別部２０は、投入された硬貨と払い出される硬貨とを識別・計数できる。【選択図】図２
2010262352.tif 000002
【特許請求の範囲】
【請求項１】
筐体と、
前記筐体の外部から投入された硬貨を１枚ずつ取り込む受入部と、
硬貨を払い出す払出部と、
硬貨を金種別に収納し、所定の出金指示に基づいて硬貨を投出する第１収納部と、
１又は複数の金種の硬貨の一括収納及び投出を行うことができる第２収納部と、
前記受入部から取り込まれた硬貨を、前記第１収納部、前記第２収納部、及び前記払出部のいずれかへ搬送する第１搬送部と、
前記第１収納部又は前記第２収納部から投出された硬貨を、前記第１収納部、前記第２収納部、及び前記払出部のいずれかへ搬送する第２搬送部と、
前記第１搬送部に設けられ、硬貨の識別計数を行う識別部と、
入金硬貨を前記第２収納部に一時保留する第１モードと、入金硬貨を前記第１収納部に直接収納する第２モードとを切り替える切替部と、
前記切替部により前記第１モードが指定された場合は、前記受入部から取り込まれた硬貨のうち、前記識別部により正貨と判定された硬貨が前記第２収納部へ搬送され、リジェクト硬貨と判定された硬貨が前記払出部へ搬送されるように前記第１搬送部を制御し、前記切替部により前記第２モードが指定された場合は、前記受入部から取り込まれた硬貨のうち、前記識別部により正貨と判定された硬貨が前記第１収納部へ搬送され、リジェクト硬貨と判定された硬貨が前記第２収納部又は前記払出部へ搬送されるように前記第１搬送部を制御する制御部と、
を備える硬貨釣銭機。
【請求項２】
前記制御部は、前記第１収納部に収納されないオーバーフロー硬貨が、前記切替部により前記第１モードが指定された場合は前記払出部へ搬送され、前記切替部により前記第２モードが指定された場合は前記第２収納部へ搬送されるように前記第１搬送部を制御することを特徴とする請求項１に記載の硬貨釣銭機。
【請求項３】
前記識別部は、前記第１収納部又は前記第２収納部から投出され、前記第２搬送部により搬送されている硬貨の識別計数を行うことを特徴とする請求項１又は２に記載の硬貨釣銭機。
【請求項４】
前記第１搬送部及び前記第２搬送部は、前記筐体内の前面部で共通の搬送路となり、この共通搬送路部分に前記識別部が設けられることを特徴とする請求項３に記載の硬貨釣銭機。
【請求項５】
前記切替部により前記第１モードが指定されている場合、前記第１収納部への硬貨補充時に、前記制御部は、前記識別部によりリジェクト硬貨と判定された硬貨が前記第２収納部へ搬送され、前記第２収納部から投出されて前記識別部により再度識別計数されるように前記第１搬送部、前記第２収納部、及び前記第２搬送部を制御することを特徴とする請求項３又は４に記載の硬貨釣銭機。
【請求項６】
外部から投入された硬貨を１枚ずつ取り込む受入工程と、
硬貨の識別計数を行う識別工程と、
硬貨を金種別に収納し所定の出金指示に基づいて硬貨を投出する第１収納部及び、１又は複数の金種の硬貨を一括して収納し所定の指示に基づいて硬貨を投出する第２収納部に硬貨を収納する収納工程と、
硬貨を前記第１収納部又は前記第２収納部から投出し、払出部に払い出す払出工程と、
を備えた硬貨釣銭機の制御方法において、
取り込んだ硬貨を前記第２収納部に一時保留する第１モードと、取り込んだ硬貨を前記第１収納部に直接収納する第２モードとを切り替える切替工程と、
前記切替工程により前記第１モードに切り替えた場合、前記識別工程により正貨と判定された硬貨を前記収納部へ搬送し、リジェクト硬貨と判定された硬貨を前記払出部へ搬送する第１搬送工程と、
前記切替工程により前記第２モードに切り替えた場合、前記識別工程により正貨と判定された硬貨を前記第１収納部へ搬送し、前記第１収納部に収納されないオーバーフロー硬貨を前記第２収納部へ搬送し、リジェクト硬貨と判定された硬貨を前記第２収納部又は前記払出部へ搬送する第２搬送工程と、
を備えたことを特徴とする硬貨釣銭機の制御方法。
【発明の詳細な説明】
【技術分野】
【０００１】
本発明は、硬貨釣銭機に関し、特に入金処理を効率良く行うことができる硬貨釣銭機に関する。また、本発明は、このような硬貨釣銭機の制御方法に関する。
【背景技術】
【０００２】
スーパーマーケットやコンビニエンスストア等のレジには、ＰＯＳシステム（販売時点情報管理システム）等の上位機に接続された紙幣処理装置や硬貨処理装置が導入されている（例えば特許文献１参照）。特許文献１に開示される硬貨処理装置は、投入口に投入され、識別・計数された硬貨を一時保留部で一時的に保留してから、金種別に収納部に収容すると共に、払出口に釣銭として硬貨を払い出すようになっている。また、一時保留部の硬貨は、収納部を経由せずに直接返却（現物返却）することができるようになっている。
【０００３】
紙幣処理装置や硬貨処理装置は、入金優先処理運用と、出金優先処理運用との２つの運用で使用され得る（例えば特許文献２参照）。入金優先処理運用では、まず、顧客からの預かり貨幣が装置に投入され、装置内で識別・計数され、一時保留部で一時的に保留される。計数金額が承認されると、一時保留部の貨幣が金種別に収容されると共に、釣銭貨幣が出金される。
【０００４】
一方、出金優先処理運用では、顧客からの預かり貨幣をオペレータが計数し、預かり額をキー入力して、釣銭貨幣を出金する。顧客が釣銭を承認し、取引が終了した後に、預かり貨幣は、装置に投入され、金種別に収容される。
【０００５】
特許文献１に開示されているような硬貨処理装置を、出金優先処理運用で使用する場合、投入された硬貨は一時保留部を経由してから金種別収納部に収納される。一時保留部を経由する分だけ投入口から金種別収納部までの搬送路が長くると共に、一時保留硬貨に対して入金承認指示を出す必要があり、入金処理に要する時間が長くなっていた。このように、従来の硬貨処理装置は、入金優先処理又は出金優先処理の各運用形態に応じて入金処理を効率良く行えないという問題があった。
【先行技術文献】
【特許文献】
【０００６】
【特許文献１】特開２００６−３０９４６７号公報
【特許文献２】特許第４１２８２４４号明細書
【発明の概要】
【発明が解決しようとする課題】
【０００７】
本発明は、入金優先処理や出金優先処理等の運用形態に応じて入金処理を効率良く行うことができる硬貨釣銭機及びその制御方法を提供することを目的とする。
【課題を解決するための手段】
【０００８】
本発明の一態様による硬貨釣銭機は、筐体と、前記筐体の外部から投入された硬貨を１枚ずつ取り込む受入部と、硬貨を払い出す払出部と、硬貨を金種別に収納し、所定の出金指示に基づいて硬貨を投出する第１収納部と、１又は複数の金種の硬貨の一括収納及び投出を行うことができる第２収納部と、前記受入部から取り込まれた硬貨を、前記第１収納部、前記第２収納部、及び前記払出部のいずれかへ搬送する第１搬送部と、前記第１収納部又は前記第２収納部から投出された硬貨を、前記第１収納部、前記第２収納部、及び前記払出部のいずれかへ搬送する第２搬送部と、前記第１搬送部に設けられ、硬貨の識別計数を行う識別部と、入金硬貨を前記第２収納部に一時保留する第１モードと、入金硬貨を前記第１収納部に直接収納する第２モードとを切り替える切替部と、前記切替部により前記第１モードが指定された場合は、前記受入部から取り込まれた硬貨のうち、前記識別部により正貨と判定された硬貨が前記第２収納部へ搬送され、リジェクト硬貨と判定された硬貨が前記払出部へ搬送されるように前記第１搬送部を制御し、前記切替部により前記第２モードが指定された場合は、前記受入部から取り込まれた硬貨のうち、前記識別部により正貨と判定された硬貨が前記第１収納部へ搬送され、リジェクト硬貨と判定された硬貨が前記第２収納部又は前記払出部へ搬送されるように前記第１搬送部を制御する制御部と、を備えるものである。
【０００９】
本発明の一態様による硬貨釣銭機においては、前記制御部は、前記第１収納部に収納されないオーバーフロー硬貨が、前記切替部により前記第１モードが指定された場合は前記払出部へ搬送され、前記切替部により前記第２モードが指定された場合は前記第２収納部へ搬送されるように前記第１搬送部を制御することが好ましい。
【００１０】
本発明の一態様による硬貨釣銭機においては、前記識別部は、前記第１収納部又は前記第２収納部から投出され、前記第２搬送部により搬送されている硬貨の識別計数を行うことが好ましい。
【００１１】
本発明の一態様による硬貨釣銭機においては、前記第１搬送部及び前記第２搬送部は、前記筐体内の前面部で共通の搬送路となり、この共通搬送路部分に前記識別部が設けられることが好ましい。
【００１２】
本発明の一態様による硬貨釣銭機においては、前記切替部により前記第１モードが指定されている場合、前記第１収納部への硬貨補充時に、前記制御部は、前記識別部によりリジェクト硬貨と判定された硬貨が前記第２収納部へ搬送され、前記第２収納部から投出されて前記識別部により再度識別計数されるように前記第１搬送部及び前記第２搬送部を制御することが好ましい。
【００１３】
本発明の一態様による硬貨釣銭機の制御方法は、外部から投入された硬貨を１枚ずつ取り込む受入工程と、硬貨の識別計数を行う識別工程と、硬貨を金種別に収納し所定の出金指示に基づいて硬貨を投出する第１収納部及び、１又は複数の金種の硬貨を一括して収納し所定の指示に基づいて硬貨を投出する第２収納部に硬貨を収納する収納工程と、硬貨を前記第１収納部又は前記第２収納部から投出し、払出部に払い出す払出工程と、を備えた硬貨釣銭機の制御方法において、取り込んだ硬貨を前記第２収納部に一時保留する第１モードと、取り込んだ硬貨を前記第１収納部に直接収納する第２モードとを切り替える切替工程と、前記切替工程により前記第１モードに切り替えた場合、前記識別工程により正貨と判定された硬貨を前記収納部へ搬送し、リジェクト硬貨と判定された硬貨を前記払出部へ搬送する第１搬送工程と、前記切替工程により前記第２モードに切り替えた場合、前記識別工程により正貨と判定された硬貨を前記第１収納部へ搬送し、前記第１収納部に収納されないオーバーフロー硬貨を前記第２収納部へ搬送し、リジェクト硬貨と判定された硬貨を前記第２収納部又は前記払出部へ搬送する第２搬送工程と、を備えたことを特徴とするものである。
【発明の効果】
【００１４】
本発明によれば、入金優先処理や出金優先処理等の運用形態に応じて入金処理を効率良く行うことができる。
【図面の簡単な説明】
【００１５】
【図１】本発明の実施形態に係る硬貨釣銭機の外観斜視図である。
【図２】同実施形態に係る硬貨釣銭機の内部のブロック図である。
【図３】入金優先処理モードの入金時の投入硬貨搬送先を説明するフローチャートである。
【図４】入金優先処理モードの補充時の投入硬貨搬送先を説明するフローチャートである。
【図５】直接収納モードの出金優先処理運用の入金時の投入硬貨搬送先を説明するフローチャートである。
【図６】直接収納モードの出金優先処理運用の補充時の投入硬貨搬送先を説明するフローチャートである。
【図７】直接収納モードの入金確定運用の入金時の投入硬貨搬送先を説明するフローチャートである。
【発明を実施するための形態】
【００１６】
以下、本発明の実施の形態を図面に基づいて説明する。
【００１７】
図１は、本発明の実施形態に係る硬貨釣銭機の構成を示す斜視図であり、図２は、図１に示す硬貨釣銭機の内部の概略構成図である。
【００１８】
本実施形態に係る硬貨釣銭機は、ＰＯＳレジスタ（販売時点情報管理機能を有する金銭登録機）からなる制御端末機に接続されている。制御端末機は、商品の購入情報を登録するとともに、硬貨釣銭機に対して硬貨の入出金処理を行わせるようになっている。制御端末機はホストサーバに接続され、制御端末機からホストサーバに売上情報等が送信されるようになっている。
【００１９】
図１、図２に示すように、硬貨釣銭機１は、前部上面に操作表示部１２を有する略直方体形状の筐体１０を備える。筐体１０の前部には、筐体１０の外部から硬貨が投入される受入部１４及び硬貨を払い出す払出部１６が設けられている。
【００２０】
受入部１４は、投入された硬貨を１層１列状態で１枚ずつ機内へ取り込む。受入部１４の後方には取り込まれた硬貨を搬送する第１搬送路１８が延びている。
【００２１】
第１搬送路１８で搬送された硬貨は、識別部２０により識別・計数が行われる。識別部２０で識別された硬貨は、識別結果等に基づいて、第２搬送路２２により払出部１６へ搬送されるか、又は第３搬送路２４により一括収納部２６もしくは金種別収納部２８へ搬送される。具体的な硬貨の搬送先については後述する。
【００２２】
払出部１６へ搬送された硬貨は機外に払い出される。金種別収納部２８に搬送された硬貨は金種別に収納される。例えば、金種別収納部２８は、１円硬貨収納部２８ａ、５円硬貨収納部２８ｂ、１０円硬貨収納部２８ｃ、５０円硬貨収納部２８ｄ、１００円硬貨収納部２８ｅ、及び５００円硬貨収納部２８ｆを有する。一括収納部２６は１又は複数の金種の硬貨を一括収納することができる。
【００２３】
一括収納部２６及び金種別収納部２８は、収納している硬貨を投出できる。一括収納部２６、金種別収納部２８から投出された硬貨は、第４搬送路３０により識別部２０へ搬送される。識別部２０で識別された硬貨は、第２搬送路２２により払出部１６へ搬送されるか、又は第３搬送路２４により一括収納部２６もしくは金種別収納部２８へ搬送される。具体的な硬貨の搬送先については後述する。
【００２４】
制御部３２は、硬貨釣銭機１を構成する各部の制御を行う。
【００２５】
図１、図２から分かるように、受入部１４に投入された硬貨を一括保留部２６又は金種別収納部２８に収納する搬送部（第１搬送路１８及び第３搬送路２４）と、一括保留部２６又は金種別収納部２８から投出された硬貨を払出部１６から払い出す搬送部（第４搬送路３０及び第２搬送路２２）とは、筐体１０内の前面部で交差するように設けられている。また、この交差箇所に識別部２０が設けられている。
【００２６】
交差箇所は、例えば、搬送路が略四角形状に周回しており、この周回搬送路に、第１搬送路１８や第４搬送路３０から硬貨が渡され、識別部２０で識別された硬貨が第２搬送路２２や第３搬送路２４に渡される。つまり、受入部１４に投入された硬貨を一括保留部２６又は金種別収納部２８に収納する搬送部（第１搬送路１８及び第３搬送路２４）と、一括保留部２６又は金種別収納部２８から投出された硬貨を払出部１６から払い出す搬送部（第４搬送路３０及び第２搬送路２２）とは、筐体１０内の前面部が共通の搬送路となっており、この共通搬送路部分に識別部２０が設けられる。
【００２７】
本実施形態に係る硬貨釣銭機１は、入金硬貨を一括収納部２６に一旦一時保留した後に金種別収納部２８に収納する一時保留モードと、入金硬貨を一時保留することなく直接金種別収納部２８に収納する直接収納モードの２つのモードで動作することができる。硬貨釣銭機１は、一時保留モードでは、入金硬貨の金額確定を釣銭の出金処理よりも優先させる入金優先処理運用で使用される。また、硬貨釣銭機１は、直接収納モードでは、釣銭の出金処理を入金硬貨の金額確定よりも優先させる出金優先処理運用と、前記入金優先処理運用の２種類の運用で使用される。
【００２８】
一時保留モードにおける入金優先処理運用は、まず、顧客からの預かり硬貨が受入部１４に投入され、識別部２０で識別・計数され、一括収納部２６で一時的に保留される。オペレータにより計数金額が承認されると、一括収納部２６の硬貨が第４搬送路３０、識別部２０、及び第３搬送路２４を介して金種別収納部２８に収納される。また、制御端末機（図示せず）から指示された釣銭硬貨が金種別収納部２８から投出され、第４搬送路３０、識別部２０、及び第２搬送路２２を介して、払出部１６から払い出される。
【００２９】
つまり、一時保留モードにおける入金優先処理運用では、一括収納部２６は、一時保留部と同様の機能を有することになる。
【００３０】
直接収納モードは、一括収納部２６を一時保留部として使用せず、一括収納部２６にオーバーフロー硬貨を収納するモードである。
【００３１】
直接収納モードにおける出金優先処理運用では、顧客からの預かり硬貨をオペレータが計数し、預かり額を制御端末機にキー入力する。そして、制御端末機から指示された釣銭硬貨が、金種別収納部２８から投出され、第４搬送路３０、識別部２０、及び第２搬送路２２を介して、払出部１６から払い出される。顧客が釣銭を承認し、取引が終了した後に、顧客からの預かり硬貨が、受入部１４に投入される。
【００３２】
投入された硬貨は、識別部２０で識別・計数されると第３搬送路２４により、一括収納部２６を通過することなく、直接、金種別収納部２８に搬送され、収納される。従来の硬貨釣銭機のように、一時保留部を経由してから金種別収納部に収納される場合よりも、搬送経路が短いため、入金処理に要する時間を短縮できる。
【００３３】
直接収納モードにおける入金優先処理運用では、顧客からの預かり硬貨をオペレータが計数や金額入力をすることなく受入部１４に投入し、硬貨釣銭機１の識別部２０で識別・計数された金額が入金金額となり、制御端末機へ送信される。そして、制御端末機から指示された釣銭硬貨が金種別収納部２８から投出され、払出部１６から払い出される。なお、受入部１４に用入された硬貨の識別・計数と、金種別収納部２８への収納ルート、及び金種別収納部２８から払出部１６への払い出しルートは、前述の出金優先処理運用と同様であり、優先順位が異なるだけである。
【００３４】
このようなモード及び運用を切り替える切替部は操作表示部１２に設けられている。また、制御端末機がモード及び運用の切り替えを行い、切り替え指示を制御部３０に通知するようにしてもよい。
【００３５】
次に、入金時及び補充時における、受入部１４に投入された硬貨の搬送先について説明する。ここで、「入金時」とは顧客からの預かり金等を投入する場合を表し、「補充時」とは、金種別収納部２８に釣銭用の硬貨を補充する場合を表すものとする。
【００３６】
まず、図３に示すフローを用いて、一時保留モードにおける入金優先処理運用の入金時の投入硬貨搬送先を説明する。受入部１４に投入された硬貨は（ステップＳ３０１）、識別部２０で識別・計数され（ステップＳ３０２）、正常に識別できない硬貨（リジェクト硬貨）であるか否かが判定される（ステップＳ３０３）。正常に識別できた硬貨（正貨）は一括収納部２６へ搬送される（ステップＳ３０４）。一方、リジェクト硬貨と判定された硬貨は、払出部１６へ搬送される（ステップＳ３１１）。
【００３７】
識別部２０による計数結果が承認されると（ステップＳ３０５）、一括収納部２６内の硬貨が全て投出され（ステップＳ３０７）、再度、識別部２０で識別・計数が行われ（ステップＳ３０８）、１枚ずつ対応する金種別収納部２８に収納できるか否か、すなわちオーバーフロー硬貨となるか否かが判定される（ステップＳ３０９）。オーバーフロー硬貨でなければ、金種別収納部２８に収納され（ステップＳ３１０）、オーバーフロー硬貨の場合は払出部１６へ搬送される（ステップＳ３１１）。
【００３８】
また、識別部２０による計数結果が承認されない場合は（ステップＳ３０５）、一括収納部２６内の硬貨は全て投出されて（ステップＳ３０６）、払出部１６へ搬送される（ステップＳ３１１）。
【００３９】
このように、一括収納部２６は一時保留部として機能し、計数結果が承認されない場合は、投入硬貨を現物返却できる。
【００４０】
続いて、図４に示すフローを用いて、一時保留モードにおける入金優先処理運用の補充時の投入硬貨搬送先を説明する。受入部１４に投入された硬貨は（ステップＳ４０１）、識別部２０で識別・計数され（ステップＳ４０２）、正常に識別できない硬貨（リジェクト貨）であるか否かが判定される（ステップＳ４０３）。リジェクト硬貨は一括収納部２６へ搬送される（ステップＳ４０４）。一括収納部２６へ搬送された硬貨は、その後、一括収納部２６から全て投出され（ステップＳ４０５）、再び識別部２０で識別・計数され（ステップＳ４０６）、再度、リジェクト硬貨であるか否かが判定される（ステップＳ４０７）。再度リジェクト硬貨と判定された硬貨は払出部１６へ搬送される（ステップＳ４１０）。ここでは硬貨の識別のリトライ回数を１回としたが、２回以上としてもよい。
【００４１】
識別部２０で正常に識別できた硬貨は、金種別収納部２８に収納できるか否か、すなわちオーバーフロー硬貨となるか否かが判定される（ステップＳ４０８）。オーバーフロー硬貨でなければ、金種別収納部２８へ搬送され（ステップＳ４０９）、オーバーフロー硬貨の場合は払出部１６へ搬送される（ステップＳ４１０）。
【００４２】
このように、リジェクト貨を一括収納部２６に収納し、再度、識別を行うようにすることで、硬貨の補充を効率良く行うことができる。
【００４３】
次に、図５に示すフローを用いて、直接収納モードの出金優先処理運用の入金時における投入硬貨搬送先を説明する。受入部１４に投入された硬貨は（ステップＳ５０１）、識別部２０で識別・計数され（ステップＳ５０２）、正常に識別できたか否かが判定される（ステップＳ５０３）。識別部２０で正常に識別できた硬貨は、金種別収納部２８に収納できるか否か、すなわちオーバーフロー硬貨となるか否かが判定される（ステップＳ５０４）。オーバーフロー硬貨でなければ、金種別収納部２８に収納され（ステップＳ５０５）、オーバーフロー硬貨の場合は一括収納部２６に収納される（ステップＳ５０６）。
【００４４】
また、識別部２０で正常に識別できなかった硬貨（リジェクト貨）も一括収納部２６に収納される（ステップＳ５０６）。直接収納モードにおける出金優先処理運用では、オペレータが制御端末機にキー入力した金額が預かり硬貨の確定額としてホストサーバに送信される。従って、識別部２０がリジェクト貨と判定した場合であっても硬貨を払い出さずに（返却せずに）、一括収納部１６に収納しておく。
【００４５】
このように、正常に識別された硬貨は一括収納部２６を通過することなく、直接、金種別収納部２８に収納されるため、搬送経路が必要以上に長くならず、入金処理に要する時間を短縮できる。また、オーバーフロー硬貨やリジェクト硬貨を一括収納部１６に収納することができるため、別途、オーバーフロー硬貨収納部や入金リジェクト硬貨収納部を設ける必要がなく、装置コストを低減できる。
【００４６】
続いて、図６に示すフローを用いて、直接収納モードの出金優先処理運用の補充時における投入硬貨搬送先を説明する。受入部１４に投入された硬貨は（ステップＳ６０１）、識別部２０で識別・計数され（ステップＳ６０２）、正常に識別できたか否かが判定される（ステップＳ６０３）。識別部２０で正常に識別できた硬貨は、金種別収納部２８に収納できるか否か、すなわちオーバーフロー硬貨となるか否かが判定される（ステップＳ６０４）。オーバーフロー硬貨でなければ、金種別収納部２８に収納され（ステップＳ６０５）、オーバーフロー硬貨の場合は一括収納部２６に収納される（ステップＳ６０６）。
【００４７】
また、識別部２０で正常に識別できなかった硬貨（リジェクト貨）は払出部１６に搬送される（ステップＳ６０７）。
【００４８】
このように、正常に識別された硬貨のうち、オーバーフロー分が一括収納部２６に収納される。出金されることが多い金種の硬貨を予め多く補充し、オーバーフロー分を一括収納部２６に収納しておくことで、釣銭不足時に、一括収納部２６から繰り出して金種別収納部２８に装填できる。これにより、硬貨の補充回数を減らすことができる。
【００４９】
また、正常に識別できなかった硬貨（リジェクト貨）を払出部１６へ払い出すことによって、リジェクト貨を再度補充硬貨として受入部１４に投入することができ、補充硬貨を機内に眠らせてしまうようなことなく、確実に釣銭として使用できるように補充することができる。
【００５０】
次に、図７に示すフローを用いて、直接収納モードの入金優先処理運用の入金時における投入硬貨搬送先を説明する。受入部１４に投入された硬貨は（ステップＳ７０１）、識別部２０で識別・計数され（ステップＳ７０２）、正常に識別できたか否かが判定される（ステップＳ７０３）。識別部２０で正常に識別できた硬貨は、金種別収納部２８に収納できるか否か、すなわちオーバーフロー硬貨となるか否かが判定される（ステップＳ７０４）。オーバーフロー硬貨でなければ、金種別収納部２８に収納され（ステップＳ７０５）、オーバーフロー硬貨の場合は一括収納部２６に収納される（ステップＳ７０６）。
【００５１】
また、識別部２０で正常に識別できなかった硬貨（リジェクト貨）は払出部１６に搬送される（ステップＳ７０７）。
【００５２】
このように、正常に識別された硬貨のうち、オーバーフロー分が一括収納部２６に収納される。オーバーフロー硬貨を収納する収納部を別途設ける必要がないため、装置コストを低減できる。
【００５３】
また、オーバーフロー硬貨は一括収納部２６に収納され、リジェクト硬貨は払出部１６から払い出される。そのため、払い出された硬貨がオーバーフロー硬貨であるか、又はリジェクト硬貨であるかを混同することがなく、払い出された硬貨に対して誤った処理が行われることを防止できる。
【００５４】
直接収納モードの入金確定運用の補充時における投入硬貨搬送先は、図６に示す出金優先処理運用の場合と同様であるため、説明を省略する。
【００５５】
このように、硬貨釣銭機１は、一時保留モードの入金優先処理運用では一括収納部２６を一時保留部として機能させ、直接収納モードでは、一括収納部２６を経由することなく金種別収納部２８に硬貨を直接収納することができる。従って、本実施形態による硬貨釣銭機により、入金優先処理や出金優先処理等の運用形態に応じて、入金処理を効率良く行うことができるようになる。
【００５６】
また、直接収納モードでは、一括収納部２６にオーバーフロー硬貨を収納することができるため、オーバーフロー硬貨を収納するための収納部を設ける場合よりも、装置コストを低減できる。
【００５７】
また、従来の硬貨釣銭機は、金種別収納部の投出口に、投出される硬貨の枚数を計数するセンサと、材質を測定するセンサとが設けられていた。投出される硬貨の材質を測定することで、投出された硬貨が対応する金種であるかを検出し、金種と、計数された投出枚数とから、払い出す金額を算出・確認していた。つまり、従来の硬貨処理装置内には、入金硬貨の識別・計数を行う識別部以外に、出金硬貨の材質を測定するセンサや、枚数を計数するセンサが設けられていた。
【００５８】
一方、本実施形態による硬貨釣銭機は、図２に示すように、金種別収納部２８から投出された硬貨が入金時に識別・計数を行う識別部２０を通過する構成となっているため、金種別収納部の投出口に材質を測定するセンサを設ける必要がない。そのため、装置コストをさらに低減することができる。
【００５９】
また、入金時と出金時とで同一の識別部が識別を行うため、識別能力に差異が生じず、入金時に受け付けられた硬貨が、出金時に判別不能になるという事態の発生を防止できる。なお、出金時は金種確認が行えればよく、偽貨であるか否かの検査等は行わなくてもよいため、出金時の識別部２０の識別能力を下げるようにしてもよい。
【００６０】
残置回収時に、上記実施形態に係る硬貨釣銭機の一括収納部２６を利用するようにしてもよい。金種別収納部２８内の硬貨をすべて繰り出し、残置分は一括収納部２６へ搬送し、それ以外を払出部１６へ搬送する。すべての硬貨の搬送後、一括収納部２６内の硬貨を金種別収納部２８に収納することで、必要枚数の硬貨を残置した上で、それ以上の硬貨を回収する残置回収を実現できる。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６２】
１  硬貨釣銭機
１０  筐体
１２  操作表示部
１４  受入部
１６  払出部
１８  第１搬送路
２０  識別部
２２  第２搬送路
２４  第３搬送路
２６  一括収納部
２８  金種別収納部
３０  第４搬送路
３２  制御部
【図１】
2010262352.tif 000003
【図２】
2010262352.tif 000004
【図３】
2010262352.tif 000005
【図４】
2010262352.tif 000006
【図５】
2010262352.tif 000007
【図６】
2010262352.tif 000008
【図７】
2010262352.tif 000009